(57)【要約】【課題】取っ手に掛けた指先を滑り難くして、画像形成装置を容易に持ち運びできるようにする。【解決手段】外装ケース４０に形成された凹形状の取っ手４１の奥部側に、手の指先形状に対応した指先形状部４２ａを凹設した。【選択図】図３
2016012059.tif 000002
【特許請求の範囲】
【請求項１】
外装ケースに凹形状の取っ手が形成された画像形成装置であって、
上記取っ手の奥部側には、手の指先形状に対応した指先形状部が凹設されていることを特徴とする画像形成装置。
【請求項２】
請求項１に記載の画像形成装置において、
上記取っ手の指先形状部よりも奥には、凹部が指先形状部に連続して凹設されていることを特徴とする画像形成装置。
【請求項３】
請求項１に記載の画像形成装置において、
上記取っ手の少なくとも指先形状部は、弾性材で形成されていることを特徴とする画像形成装置。
【発明の詳細な説明】
【技術分野】
【０００１】
この発明は、画像形成装置に関するものである。
【背景技術】
【０００２】
外装ケースに凹形状の取っ手を形成して持ち運びし易いようにした画像形成装置が知られている（例えば特許文献１，２参照）。
【先行技術文献】
【特許文献】
【０００３】
【特許文献１】特開２００２―２５８５６２号公報
【特許文献２】特開平５―３２３６８７号公報
【発明の概要】
【発明が解決しようとする課題】
【０００４】
しかし、図５に示すように、特許文献１，２を含め、従来の画像形成装置の取っ手１００は、手の指先１０１の腹が当たる上壁１０２がフラットに形成されているため、指先１０１が滑り易く、持ち運びし難くかった。
【０００５】
この発明はかかる点に鑑みてなされたものであり、その目的とするところは、取っ手に掛けた指先を滑り難くして、画像形成装置を容易に持ち運びできるようにすることである。
【課題を解決するための手段】
【０００６】
この発明に係る画像形成装置は、外装ケースに凹形状の取っ手が形成された画像形成装置であって、上記取っ手の奥部側には、手の指先形状に対応した指先形状部が凹設されていることを特徴とする。
【０００７】
これによれば、画像形成装置を持ち運びする際、取っ手に掛けた指先が奥部の指先形状部にフィットして滑り難くなり、指先の腹が一定箇所に安定して固定され、必要以上に力を掛けなくても画像形成装置の持ち運びが容易になる。
この場合、上記取っ手の指先形状部よりも奥には、凹部が指先形状部に連続して凹設されていることが望ましい。
これによれば、指の爪が長くても、爪を凹部に進入させることで、爪の損傷が回避される。
また、上記取っ手の少なくとも指先形状部は、弾性材で形成されていてもよい。
【０００８】
これによれば、指先形状部は柔らかく、取っ手に掛けた指先の腹が指先形状部に埋もれて、指先の指先形状部へのフィット感が増大し、画像形成装置の持ち運びがさらに容易になる。
【発明の効果】
【０００９】
この発明によれば、取っ手の奥部に凹設した指先形状部で指先を滑り難くして、画像形成装置を容易に持ち運びすることができる。
【図面の簡単な説明】
【００１０】
【図１】図１は、画像形成装置の構成を示すブロック図である。
【図２】図２は、画像形成装置の外観図である。
【図３】図３は、図２のＡ部拡大断面図である。
【図４】図４は、指当てブロックの底面である。
【図５】図５は、従来例の図３相当図である。
【発明を実施するための形態】
【００１１】
以下、この発明の実施形態について図面に基づいて説明する。
【００１２】
図１は、例えばレーザプリンターや複合機等の画像形成装置１であり、画像形成装置１は、用紙を搬送しながら、端末等（図示省略）から送信される画像データに基づいて用紙に画像を形成するように構成されている。画像形成装置１は、給紙部２と、画像形成部３と、定着部４と、排紙部５とを備えている。
【００１３】
給紙部２は、用紙を画像形成部３へ供給するカセット給紙部や手差しトレイである。画像形成部３は、現像器１１や感光体ドラム１２等を備えている。画像形成部３では、光走査装置（図示省略）によって感光体ドラム１２に静電潜像が形成され、その静電潜像が現像器１１によって現像されてトナー像になる。このトナー像は、給紙部２から供給された用紙に転写される。定着部４は、定着ローラー及び加圧ローラー（何れも図示省略）を備え、画像形成部３で用紙に転写されたトナー像を用紙に定着させる。こうして、用紙に画像が形成される。排紙部５は、定着部４から画像形成された用紙が供給される排紙トレイを有している。
【００１４】
さらに、画像形成装置１は、トナーコンテナー２０とトナー回収装置３０とを備えている。トナーコンテナー２０は、現像器１１に供給する現像剤としてのトナーが収容されている。トナー回収装置３０は、現像器１１で飛散したトナーを吸引して回収するものである。
【００１５】
画像形成装置１の樹脂製外装ケース４０には、図２及び図３に示すように、凹形状の取っ手４１が左右に１つずつ形成されている。取っ手４１の上壁は、弾性材からなるゴム製指当てブロック４２の下面で構成されている。指当てブロック４２下面の奥部側には、人の手の指先形状に対応した指先形状部４２ａが凹設されている。指先形状部４２ａは、図４に示すように、人差し指、中指、薬指及び小指の４本の指先Ｆに対応していて、指先形状部４２ａよりも奥には、矩形の凹部４２ｂが指先形状部４２ａに連続して凹設されている。
【００１６】
このように、実施形態では、取っ手４１の奥部側に手の指先形状に対応した指先形状部４２ａを凹設しているので、画像形成装置１を持ち運びする際、取っ手４１に掛けた指先Ｆを奥部側の指先形状部４２ａにフィットさせて滑り難くすることができ、指先Ｆの腹を一定箇所に安定して固定し、画像形成装置１を必要以上に力を掛けることなく容易に持ち運ぶことができる。
【００１７】
また、取っ手４１の指先形状部４２ａよりも奥に、凹部４２ｂを指先形状部４２ａに連続して凹設しているので、図３に示すように、指の爪ｆ１が長くても、爪ｆ１を凹部４２ｂに進入させることで、爪ｆ１が損傷することなく画像形成装置１を持ち運ぶことができる。
【００１８】
さらに、取っ手４１の指先形状部４２ａ及び凹部４２ｂを柔らかい弾性材からなるゴム製指当てブロック４２で形成しているので、指先Ｆに力が掛かると、取っ手４１に掛けた指先Ｆの腹が指先形状部４２ａに埋もれて、指先Ｆが益々指先形状部４２ａにフィットして、画像形成装置１をさらに容易に持ち運ぶことができる。
【００１９】
なお、実施形態では、指先形状部４２ａ（指当てブロック４２）がゴム製であったが、ポロン（登録商標）等のウレタンフォームやその他の弾性を有する樹脂材であってもよい。
【００２０】
また、実施形態では、取っ手４１の指先形状部４２ａと凹部４２ｂとを弾性材で形成したが、指先Ｆの爪ｆ１が凹部４２ｂの壁に当たらなければ、指先形状部４２ａのみ弾性材で形成してもよい。
【産業上の利用可能性】
【００２１】
この発明は、外装ケースに取っ手を有する画像形成装置について有用である。
【符号の説明】
【００２２】
１      画像形成装置
４０    外装ケース
４１    取っ手
４２ａ  指先形状部
４２ｂ  凹部
【図１】
2016012059.tif 000003
【図２】
2016012059.tif 000004
【図３】
2016012059.tif 000005
【図４】
2016012059.tif 000006
【図５】
2016012059.tif 000007